(57)【特許請求の範囲】
【請求項１】
前後半割り型の前後ケース（１ａ・１ｂ）を一体的に突き合わせてなる本体ケース（１）の上部にひげ剃り用の剃刃ユニット（２）を備えている電気かみそりにおいて、
本体ケース（１）の剃刃ユニット（２）より下方に握り部（３）を有し、
握り部（３）は、略Ｕ字状に形成されて、相対向する左右一対の縦長筒部（４・５）と、縦長筒部（４・５）の対向面間に前後方向に貫通する上下縦長状の透孔部（６）と、縦長筒部（４・５）の下端どうしを連結する横筒部（７）とを有し、左右の縦長筒部（４・５）の上端部どうし間に前記剃刃ユニット（２）が備えられており、
握り部（３）に剃刃ユニット（２）の駆動モータ（１１）を収容し、この駆動モータ（１１）を共用してひげ剃りとは別の機能を行うよう駆動される付属具（Ａ）を有し、
駆動モータ（１１）の回転を受けて回転する駆動軸（１６）が、透孔部（６）の内部上方に横架されており、
前記付属具（Ａ）が、該駆動軸（１６）に支持されて、透孔部（６）の内部に格納される姿勢と透孔部（６）から前後一方向へ突出する使用姿勢とにわたって駆動軸（１６）まわりに揺動自在に装備されているとともに、駆動軸（１６）と付属具（Ａ）との間に駆動軸（１６）の回転を付属具（Ａ）に伝達する駆動伝達機構が設けられていることを特徴とする電気かみそり。
【請求項２】
駆動モータ（１１）の動力伝達を剃刃ユニット（２）と付属具（Ａ）に切り換え自在とする動力伝達切換え機構を備えている請求項１記載の電気かみそり。
【発明の詳細な説明】
【０００１】
【発明の属する技術分野】
本発明は、ひげ剃りとは別の機能を行うための装備をもつ電気かみそりに関する。
【０００２】
【従来の技術】
この種の電気かみそりとして、きわ剃りするための装備をもつものがある。きわ剃りするための装備、すなわちきわ剃り刃ユニットはこれ全体を比較的に薄形化できるため、本体ケースに装備しても嵩張るようなことが少ない。
【０００３】
【発明が解決しようとする課題】
しかし、そのほかに、例えば、鼻毛シェーバやうぶ毛シェーバなどの付属具を装備するとすれば、特に旅行、ドライブ、出張などに便利であるが、これら鼻毛シェーバやうぶ毛シェーバなどは比較的長大な形状を呈するため、これらを本体ケースにコンパクトに、動力伝達効率よくかつ使用し易いように装備することが困難である。
【０００４】
本発明の目的は、このような問題を解消するためになされたもので、鼻毛シェーバやうぶ毛シェーバなどのように長大な形状をもつ付属具も本体ケースにコンパクトにかつ使用し易いように装備できる電気かみそりを提供するにある。
【０００５】
【課題を解決するための手段】
本発明の請求項１記載の発明は、本体ケース１の上部にひげ剃り用の剃刃ユニット２を備えている電気かみそりにおいて、本体ケース１の剃刃ユニット２より下方の握り部３に、上下縦長状の透孔部６を前後方向に貫通状に形成し、握り部３内に剃刃ユニット２の駆動モータ１１を収容し、この駆動モータ１１を共用してひげ剃りとは別の機能を行うよう駆動される付属具Ａを透孔部６内に格納し、付属具Ａの使用時にはその付属具Ａを透孔部６から突出する姿勢に切り換えられるように装備したものである。ここで、付属具Ａとしては、鼻毛シェーバやうぶ毛シェーバなどが挙げられる。
これによれば、握り部３に上下縦長状の透孔部６を前後方向に貫通状に形成してあるので、この透孔部６には鼻毛シェーバやうぶ毛シェーバなどのように長大な形状を呈する付属具Ａもコンパクトに納めることができて旅行、ドライブ等の携帯に便利であり、また本来のひげ剃り時にも付属具Ａが握り部３の握りに支障を来すようなことがない。
【０００６】
請求項２記載の発明は、請求項１記載の発明において、さらに、駆動モータ１１の動力を剃刃ユニット２と付属具Ａに選択的に切り換えて伝達できる機構を備える。かかる動力伝達切換え機構を備えることで、剃刃ユニット２および付属具Ａの一方を使用しているときに他方の駆動を停止できるので、駆動モータ１１への負荷を軽減できる。
【０００７】
請求項３記載の発明は、請求項２記載の発明において、さらに駆動モータ１１の回転を受けて回転する駆動軸１６を透孔部６の内部上方に横架し、この駆動軸１６に対し付属具Ａを透孔部６内に格納する姿勢と透孔部６から前後一方向に突出する使用姿勢とにわたって該駆動軸１６まわりに揺動自在に装備するとともに、駆動軸１６と付属具Ａとの間に駆動軸１６の回転を付属具Ａに伝達する駆動伝達機構を設ける。これによれば、駆動軸１６から付属具Ａへ前記駆動伝達機構を介して効率よく動力伝達することができ、また駆動軸１６を付属具Ａの揺動軸に兼用できるため、それだけ部材点数、組立工数を減少できる。
【０００８】
【発明の実施の形態】
（第１実施例）
本発明の第１実施例を図１ないし図９に基づき説明する。図１ないし図３において、１は本体ケース、２は本体ケース１の上部に備えたひげ剃り用の剃刃ユニットであり、本体ケース１の剃刃ユニット２より下方に握り部３を有する。この握り部３は、正面視において略Ｕ字状に形成され、相対向する左右一対のプラスチック製の縦長筒部４・５と、縦長筒部４・５の対向面間に前後方向に貫通する吹き抜け状に形成されて上下縦長状の透孔部６と、縦長筒部４・５の下端部どうしを内部連通状態に連結した横筒部７とを有してなる。これら縦長筒部４・５および横筒部７を構成する上記本体ケース１は前後半割り型の前後ケース１ａ・１ｂを一体的に突き合わせてなる。剃刃ユニット２はロータリ内刃９（図５参照）と網目状の外刃１０からなり、左右の縦長筒部４・５の上端部どうし間に備えられる。
【０００９】
図５および図８において、左右の縦長筒部４・５のうちの一方の縦長筒部５に、駆動モータ１１、および駆動モータ１１の回転を前記ロータリ内刃９に伝達する多段ギヤ８等からなるひげ剃刃駆動伝達機構１２を収納し、左右の縦長筒部４・５の双方に充電式の電池１３を収納する。横筒部７には交流・充電兼用の給電ソケット２０または充電専用プラグが取り付けられ、本体ケース１の前面側にはモータ１１の起動・停止用の電源スイッチ３３を備える。
【００１０】
上記ひげ剃刃駆動伝達機構１２は駆動モータ１１の上端から突出する出力軸１４に出力ギヤ１５を固定し、左右の縦長筒部４・５および透孔部６の上方に前記出力軸１４と直交するよう横架した駆動軸１６上に、第１フェースギヤ１７および伝動ギヤ１９を固定し、第１フェースギヤ１７を出力ギヤ１５に直交状に噛合させ、伝動ギヤ１９をひげ剃刃駆動伝達機構１２の多段ギヤ８の最下段のギヤ８ａに噛合させる。多段ギヤ８の最上段のギヤ８ｂはロータリ内刃９の軸端部に固定したギヤ２１と噛合させる。従って、駆動モータ１１の回転は駆動軸１６、多段ギヤ８およびギヤ２１を介してロータリ内刃９に伝達される。駆動モータ１１のロータリ内刃９への動力伝達は遮断できるように、駆動軸１６はこの両端部１６ａ・１６ｂを左右の縦長筒部４・５の外方に突出させて軸心方向に移動可能に支持するとともに、駆動軸１６上に第２フェースギヤ２２を第１フェースギヤ１７と伝動ギヤ１９を介して対向するよう固定し、駆動軸１６の一端部１６ａまたは１６ｂをつかんで手動操作で左右一方向に移動させることで、第１フェースギヤ１７が出力ギヤ１５から離れると同時に伝動ギヤ１９が多段ギヤ８の最下段のギヤ８ａから離れるようにしている。
【００１１】
図６ないし図８において、本体ケース１の透孔部６に、顔のひげ剃りとは別に鼻毛をカットするための付属具Ａ、すなわち鼻毛シェーバ２３が装備される。この鼻毛シェーバ２３は細い筒状のシェーバケース２４に回転軸２５を挿通支持し、この回転軸２５の先端に回転刃２６のホルダー２７を一体的に結合し、回転刃２６を覆う固定刃２９はシェーバケース２４の先端側に装着される固定刃ホルダー３０の先端内部に備えられ、固定刃ホルダー３０の先端に放射状に設けたスリット３１から導入する鼻毛を回転刃２６と固定刃２９で剪断する。
【００１２】
この鼻毛シェーバ２３はシェーバケース２４の後端側に左右一対の揺動アーム３４を有し、この揺動アーム３４を透孔部６の上方に延出された上記駆動軸１６に垂下状に挿通支持することで鼻毛シェーバ２３は透孔部６に格納される。鼻毛シェーバ２３はシェーバケース２４の後端側に突出する回転軸２５の端部に受動ギヤ３２を固定する一方、左右の揺動アーム３４・３４間の駆動軸１６上に第３フェースギヤ３５を固定する。そして前記受動ギヤ３２は、上記駆動モータ１１のロータリ内刃９への動力伝達を遮断するように駆動軸１６が左右一方向に移動したときに第３フェースギヤ３５と噛合し、この噛合により駆動モータ１１の回転が鼻毛シェーバ２３の回転刃２６に伝達される。駆動モータ１１の鼻毛シェーバ２３の回転刃２６への動力伝達を遮断するには、駆動軸１６を前記と反対方向に移動させて切り換えればよく、この切り換えにより駆動モータ１１のロータリ内刃９への動力伝達状態が得られる。
【００１３】
本体ケース１の透孔部６の前面側の上下には、図１および図７に示すように上部プレート３６および下部プレート３７をそれぞれを一体的に張り付けて、鼻毛シェーバ２３が不用意に透孔部６から前方へ飛び出るのを防止している。鼻毛シェーバ２３の使用時には上部プレート３６と下部プレート３７との間の空隙から指先を入れて鼻毛シェーバ２３を透孔部６から後方へ押し出すことができる。なお、それら上部プレート３６および下部プレート３７には、例えば商品名などを刻印するネームプレート等にも利用することができる。
【００１４】
上記構成において、本来のひげ剃り時には、図５に示すごとく鼻毛シェーバ２３を握り部３の縦長筒部４・５間の透孔部６内に格納する。そして、図５のように駆動軸１６を移動操作して第１フェースギヤ１７を出力ギヤ１５に噛合させることでロータリ内刃９への動力伝達状態を得るとともに、鼻毛シェーバ２３の回転刃２６への動力伝達を遮断する。その際、鼻毛シェーバ２３が握り部３の縦長筒部４・５間の透孔部６内に格納されているので、握り部３の全周を握るのに鼻毛シェーバ２３が邪魔になるようなことはなく、確りと把持することができる。その際、左右の縦長筒部４・５の上部どうし間には剃刃ユニット２を備え、縦長筒部４・５の下部どうしは横筒部７で連結して剛体化することにより、縦長筒部４・５は強い握力にも耐えられるものにすることができる。
【００１５】
鼻毛をカットする時には、図７および図９に示すように鼻毛シェーバ２３を駆動軸１６まわりに揺動させて透孔部６から後方へ突出させ、図６に示すごとく駆動軸１６を前記と反対方向に移動操作させて第２フェースギヤ２２を出力ギヤ１５に噛合させることで鼻毛シェーバ２３の回転刃２６への動力伝達状態を得るとともに、ロータリ内刃９への動力伝達を遮断する。その際、鼻毛シェーバ２３は回転刃２６および固定刃２９を有する先端部が剃刃ユニット２から離間するよう握り部３の後方へ突出させることができるので、握り部３の把持状態下で、剃刃ユニット２に邪魔されることなく、鼻毛を容易にカットすることができる。
【００１６】
（第２実施例）
本体ケース１の透孔部６に装備する付属具Ａとしては、上記鼻毛シェーバ２３のほかに、たとえば、図１０に示すごとくうぶ毛シェーバ３９などにも同様に適用して実施することもできる。うぶ毛シェーバ３９はうぶ毛剃り用の可動くし刃４０と固定くし刃４１をシェーバケース４２の先端側に備え、シェーバケース４２の内部に駆動軸１６の回転を可動くし刃４０の往復直線運動に変換する動力伝達機構４３を収容する。このうぶ毛シェーバ３９はシェーバケース４２の基部側に左右一対の揺動アーム４４を相対向状に備え、この左右の揺動アーム４４を駆動軸１６に挿通支持することで、透孔部６に格納される姿勢と透孔部６から後方へ突出する使用姿勢とにわたって駆動軸１６まわりに上下揺動自在に垂下される。
【００１７】
上記動力伝達機構４３については、駆動軸１６上の第３フェースギヤ３５と噛合する受動ギヤ３２を一端に、偏心カム４５を他端にそれぞれ固定した回転軸４６が、シェーバケース４２の基部の軸受４７に上下方向に挿通支持され、シェーバケース４２内に、可動くし刃４０を保持した可動くし刃ホルダー４９が該ホルダー４９に設けた長孔５０とこれに係合したピン５１との案内下で上下方向に往復直線運動自在に配備される。さらにシェーバケース４２内の前記偏心カム４５と可動くし刃ホルダー４９間には、軸５２まわりに左右方向に揺動自在な第１アーム５３と、第１アーム５３の揺動平面と同一平面上で前記軸５２まわりに上下方向に揺動自在な第２アーム５４とを互いに直交状に一体に形成してなる揺動体５５を配備し、第１アーム５３の先端の二股部５３ａを偏心カム４５に備えた偏心ピン５６に係合し、第２アーム５４の先端部５４ａを可動くし刃ホルダー４９に設けた凹部５７に係合する。その他の構成は第１実施例の場合と同様である。
【００１８】
しかるときは、駆動モータ１１のロータリ内刃９への動力伝達を遮断するように駆動軸１６を左右一方向に手動操作で移動させ、駆動モータ１１を駆動させると、受動ギヤ３２が第３フェースギヤ３５と噛合し、この噛合により回転軸４６が回転し、この回転運動が揺動体５５の揺動を介して可動くし刃ホルダー４９の直線運動に変換され、可動くし刃４０が固定くし刃４１上を往復直線運動し、該固定くし刃４１と協働作用によりうぶ毛剃りに供される。駆動モータ１１の可動くし刃４０への動力伝達を遮断するには、駆動軸１６を前記と反対方向に移動操作させて切り換えればよく、この切り換えにより駆動モータ１１のロータリ内刃９への動力伝達状態が得られる。
【００１９】
（第３実施例）
駆動モータ１１の動力を剃刃ユニット２と付属具Ａに切り換え自在とする動力伝達切換え機構５９としては、上記した手動操作により駆動軸１６を軸方向に移動させる以外に、図１１に示すように第１フェースギヤ１７が出力ギヤ１５と噛合するように駆動軸１６を常に一方向にばね部材６０で移動付勢する一方、駆動軸１６と付属具Ａとの間にカム装置６１を設ける。そのカム装置６１は、付属具Ａ側に一体に固定され、駆動軸１６に遊嵌された斜面を有する第１カム６１ａと、駆動軸１６に軸方向に移動可能に遊嵌されるとともに駆動軸１６まわりに回転しないように本体ケース１側に設置された斜面を有する第２カム６１ｂとからなり、第１・２カム６１ａ・６１ｂは斜面どうしを接触するように駆動軸１６上で並べられている。かくして、図１１に示すごとく付属具Ａを突出使用姿勢に切り換え揺動すると、この揺動に伴い駆動軸１６がカム装置６１を介してばね部材６０の付勢力に抗して前記と反対方向へ移動し、この移動により出力ギヤ１５に対し第１フェースギヤ１７が離れると同時に、第２フェースギヤ２２が出力ギヤ１５と噛合するように構成することができる。その他の構成は第１実施例の場合と同様である。
【００２０】
（第４実施例）
上記実施例ではロータリ式電気かみそりに適用するが、図１２に示すように往復動式電気かみそりにも同様に適用できる。この場合、往復動式の内刃６２と外刃６３からなる剃刃ユニット２を本体ケース１の上部に備え、本体ケース１の剃刃ユニット２より下方の握り部３に、上下縦長状の透孔部６を前後方向に貫通状に形成する。握り部３の透孔部６より一側方の内部には駆動モータ１１を、他側方の内部には電池１３をそれぞれ内蔵し、握り部３の内部上方には、駆動モータ１１の回転を該モータ１１の出力軸１４上に固定した偏心カム６４上の偏心ピン６５と該偏心ピン６５が係合する振動子６６を介して左右方向の往復直線運動に変換して内刃６２に伝達する機構を配備している。
【００２１】
かくして、駆動モータ１１の出力軸１４上の偏心カム６４より下部に出力ギヤ１５を固定し、透孔部６の内部の上方に駆動軸１６を出力軸１４と直交するように横架する。駆動軸１６上には第２フェースギヤ２２と第３フェースギヤ３５を並べて固定する。一方、透孔部６の内部に上記実施例のものと同様な鼻毛シェーバ２３が装備される。この鼻毛シェーバ２３はシェーバケース２４の後端側に備えた左右一対の揺動アーム３４を駆動軸１６に垂下状に挿通支持することで鼻毛シェーバ２３は透孔部６に格納される。鼻毛シェーバ２３はシェーバケース２４の後端側に突出する回転軸２５の端部に、前記第３フェースギヤ３５と噛合する受動ギヤ３２を固定する。その他の構成は第１実施例の場合と同様である。
【００２２】
しかるときは、剃刃ユニット２を使用する常態時には、駆動軸１６を左右一方向に移動操作して第２フェースギヤ２２を出力ギヤ１５から離しておく。そして、鼻毛シェーバ２３を使用する時には、駆動軸１６を前記と反対方向に移動操作すると、第２フェースギヤ２２が出力ギヤ１５と噛合するとともに、第３フェースギヤ３５が受動ギヤ３２と噛合することで、駆動モータ１１の回転が鼻毛シェーバ２３の回転刃２６に伝達されることは第１実施例の場合と同様である。
【００２３】
【発明の効果】
請求項１に記載の発明によれば、本体ケース１に上下縦長状の透孔部６を前後方向に貫通状に形成し、この透孔部６に鼻毛シェーバ２３などの付属具Ａを剃刃ユニット２の駆動モータ１１を共用して駆動できるように格納配備した。従って、単一の駆動モータ１１で足り、しかも長大な形態をもつ付属具Ａも本体ケース１にコンパクトにかつ使用し易いように装備できる。
【００２４】
請求項２に記載の発明によれば、さらに駆動モータ１１への負荷を軽減できる。請求項３に記載の発明によれば、さらに駆動軸１６から付属具Ａへ駆動伝達機構を介して効率よく動力伝達することができ、また駆動軸１６を付属具Ａの揺動軸に兼用できるため、それだけ部材点数、組立工数を減少できてコスト上有利である。
【図面の簡単な説明】
【図１】第１実施例を示すロータリ式電気かみそりの正面図である。
【図２】図１に示すロータリ式電気かみそりの背面図である。
【図３】図１に示すロータリ式電気かみそりの側面図である。
【図４】図１に示すロータリ式電気かみそりを、鼻毛シェーバを突出させた状態で示す側面図である。
【図５】図１に示すロータリ式電気かみそりの縦断背面図である。
【図６】図１に示すロータリ式電気かみそりを、鼻毛シェーバに動力を切り換えた状態で示す縦断背面図である。
【図７】図１に示すロータリ式電気かみそりを、鼻毛シェーバを突出させた状態で示す縦断側面図である。
【図８】図１に示すロータリ式電気かみそりの透視図である。
【図９】図１に示すロータリ式電気かみそりを、鼻毛シェーバを突出させた状態で示す透視図である。
【図１０】第２実施例を示すロータリ式電気かみそりの縦断背面図である。
【図１１】第３実施例を示すロータリ式電気かみそりの動力伝達切換え機構の平面図である。
【図１２】第４実施例を示す往復動式電気かみそりの正面図である。
【符号の説明】
１  本体ケース
２  剃刃ユニット
３  握り部
６  透孔部
９  ロータリ内刃
１０  外刃
１１  駆動モータ
１３  電池
１６  駆動軸
Ａ  付属具
【図１】
0004041532.tif 000002
【図２】
0004041532.tif 000003
【図３】
0004041532.tif 000004
【図４】
0004041532.tif 000005
【図５】
0004041532.tif 000006
【図６】
0004041532.tif 000007
【図７】
0004041532.tif 000008
【図８】
0004041532.tif 000009
【図９】
0004041532.tif 000010
【図１０】
0004041532.tif 000011
【図１１】
0004041532.tif 000012
【図１２】
0004041532.tif 000013